(57)【要約】【課題】本発明の課題は、一着の着物であっても襟元を変化させることにより、別の着物のようなイメージにしたり、形の古い着物であっても新しい着物であるかのような感じにし、さらに、着物を着る人の個性に合わせ、華やかな感じを抱かせる襟元を容易に着付けすることである。【解決手段】上記課題を満たすため、本発明は、装飾用重ね襟等を複数枚使用し、長襦袢と着物の間の襟元に装着して華やかな装いとすることを主な特徴とする。【選択図】図７
2013245410.tif 000002
【特許請求の範囲】
【請求項１】
重ね襟を使用して着物の襟元を装飾する場合において、長襦袢と着物の間の襟元に、複数枚の装飾用柄重ね襟をずらしながら重ねて装着する着物の襟元の装飾方法。
【請求項２】
複数枚の装飾用柄重ね襟と装飾用飾り襟をずらしながら重ねて装着する請求項１の着物の襟元の装飾方法。
【請求項３】
請求項1又は請求項２のいずれかの着物の襟の装飾方法に使用する装飾用柄重ね襟。
【請求項４】
請求項２の着物の襟の装飾方法に使用する装飾用飾り襟。
【発明の詳細な説明】
【技術分野】
【０００１】
本発明は、着物の襟元を装飾するための手法に関する。
【背景技術】
【０００２】
日本の伝統的な衣服である着物は、その着用時には、周囲の目は襟元にも注目され、襟元を美しく見せることは、着物を着こなす上で重要である。この襟元を美しく見せるため、着物の襟元は、立体裁断等多くの工夫がなされている。また、長襦袢と着物の間に重ね襟を装着することも行われている。着物は洋服に比較し高価であり、一般的には、数多く所有することは難しい。長年美容室を運営し、成人式、結婚式等に出席する女性の着物の着付けも業として行ってきた本発明者は、一着の着物であっても襟元を変化させることにより、別の着物のようなイメージになり、形の古い着物であっても襟元を変化させることにより、新しい着物であるかのような感じになることに気づいていた。さらに、着物を着る人の個性に合わせ、華やかな感じを抱かせる襟元を容易に着付けできないか思案していた。そして、柄のついた重ね襟やガラスビーズ等の装飾体が付いた装飾用飾り襟を複数枚使用することにより、こうした要求に応えることができることを経験上見出した。
【０００３】
着物（和服）襟の装飾についての先行技術として、適度の可撓性を有する細長いベースシート部材と、前記ベースシート部材の長手方向一側縁に沿って列状に取り付けた飾体列とからなり、着物着用時に、前記ベースシート部材の長手方向他側縁側を着物の襟部或いは帯によって押圧支持し、着脱、自在に装着し得るようになしたアクセサリー用飾体でなる着物用アクセサリー（特許文献１）、帯状の内襟と、内襟の少なくともいずれか一方の長手側縁部に沿って縫い付けられた飾り襟とを備え、和服の襟の内側に内襟を配して、飾り襟を和服の襟縁に沿って外側に折り返し装着する襟部材（特許文献２）等が見受けられる。
【０００４】
上記各先行技術は、着物用アクセサリーあるいは襟部材としての考案であり、こうした襟部材等を複数枚使用して襟元を装飾するものではない。本願では、これらを複数枚使用して、着物を着る人の個性に合わせ、華やかな感じを抱かせる襟元を容易に着付けすることを特徴とするものである。
【先行技術文献】
【特許文献】
【０００５】
【特許文献１】実用新案登録第3089786号
【特許文献２】実用新案登録第3122366号
【発明の概要】
【発明が解決しようとする課題】
【０００６】
本発明の課題は、一着の着物であっても襟元を変化させることにより、別の着物のようなイメージにしたり、形の古い着物であっても新しい着物であるかのような感じにし、さらに、着物を着る人の個性に合わせ、華やかな感じを抱かせる襟元を容易に着付けすることにある。
【課題を解決するための手段】
【０００７】
上記課題を満たすため、本発明は、複数枚の装飾用重ね襟等を長襦袢と着物の間の襟元に装着して華やかな感じとすることを主な特徴とする。
【０００８】
すなわち、第1発明は、重ね襟を使用して着物の襟元を装飾する場合において、長襦袢と着物の間の襟元に、複数枚の装飾用柄重ね襟をずらしながら重ねて装着する着物の襟元の装飾方法である。
【０００９】
長襦袢とは、その形状が着物に似た着物の下に着るいわゆる下着である。着物は、この長襦袢の襟から約３〜５ｃｍの間隔をおいて着物の襟がのるように着付けられる。長襦袢の襟と着物の襟の間に、複数枚の装飾用柄重ね襟が装着される。柄とは、図形、模様、色彩等とこれらの組合せをいい（以下同じ）、装飾用柄重ね襟とは、この柄が描かれ、着物の襟の幅や長さに合うようにした帯状の布であり、絹等でできているが材質は問わない。着物を着る人や着物の柄にあわせるため、多数の装飾用柄重ね襟を準備しておき、その中より選択する。複数枚の装飾用柄重ね襟をずらしながら重ねて装着するとしたのは、外部から複数枚の装飾用柄重ね襟が見えるようにするためである。
【００１０】
装飾用柄重ね襟は、長襦袢と着物の押圧と装飾用柄重ね襟の長手方向の端をコーリンベルトあるいは帯で止めて装着する。
コーリンベルトとは、伸縮性のある綿ゴムの両端にクリップが付いていて、着物の着付時に襟のくずれを防止するものである。下から順に長襦袢の襟、複数枚の装飾用柄重ね襟、着物の襟となる。図１に長襦袢と着物の襟の概略図を、図２（1）〜（3）に装飾用柄重ね襟の例を示す。
【００１１】
第２発明は、複数枚の装飾用柄重ね襟と装飾用飾り襟をずらしながら重ねて装着する第１発明の着物の襟元の装飾方法である。
【００１２】
装飾用飾り襟とは、人工真珠、人工ダイヤ、ガラスビーズ等いわゆる装飾体が生地に付けられた柔軟性のある襟の総称である。装飾用柄重ね襟、装飾用飾り襟も重ね襟に含まれる。装飾用飾り襟も多数準備し、その中から選択する。装飾用飾り襟は複数枚の装飾用柄重ね襟の最上にずらしながら重ねて装着する場合、複数枚の装飾用柄重ね襟の中間にずらしながら重ねて装着する場合がある。なお、装飾用柄重ね襟は複数枚使用するが、装飾用飾り襟は１枚でも複数枚でもよい。着物の柄や着物を着る人の個性にあわせ装着方法も選択する。図３に、上前用と下前用に分けた装飾用飾り襟の例を示す。
【００１３】
第３発明は、第１発明又は第２のいずれかの着物の襟の装飾方法に使用する装飾用柄重ね襟である。
【００１４】
第３発明は、第１発明又は第２発明に使用する装飾用柄重ね襟を保護対象とするためである。
【００１５】
第４発明は、第２発明の着物の襟の装飾方法に使用する装飾用飾り襟である。
【００１６】
第４発明は、第３発明と同様、第２発明に使用する装飾用飾り襟を保護対象とするためである。
【発明の効果】
【００１７】
第1発明では、複数枚の装飾用柄重ね襟を使用することにより、一の着物であっても、別の着物を着ている、また、形の古い着物であっても新しい着物であるかのような感じにし、さらに、着物を着る人の個性に合わせ、華やかな感じを抱かせる襟元を容易に創り出すことができる。第２発明では、装飾用飾り襟を装着するため、襟元をさらに優雅に見せることができる。第３発明、第４発明は、第1発明又は第２発明に使用する装飾用柄重ね襟を、第４発明では、第２発明に使用する装飾用飾り襟を保護対象とするためである。
【図面の簡単な説明】
【００１８】
【図１】図１は、長襦袢と着物の襟等の概略図を示す。
【図２】図２は、装飾用柄重ね襟の例を示す。
【図３】図３は、装飾用飾り襟の例を示す。
【図４】図４は、長襦袢に装飾用柄重ね襟を装着し、着物を着せ更に装飾用柄重ね襟を装着した図である。
【図５】図５は複数の装飾用柄重ね襟を装着した時の図である。
【図６】図６は、装飾用飾り襟と複数の装飾用柄重ね襟とを装着した図である。
【図７】図７は、複数の装飾用柄重ね襟を装着したときとこれに装飾用飾り襟を装着したときの比較図である。
【発明を実施するための形態】
【００１９】
本発明の実施例を以下に示す。
【実施例１】
【００２０】
図４は、（１）が長襦袢４の襟上に装飾用柄重ね襟１を装着し、着物3を着せ（２）、更に装飾用柄重ね襟１−２を装着（３）した図である。最初の装飾用柄重ね襟１−１は、伊達締め４２で止められている。次の装飾用柄重ね襟１−２は、長襦袢と着物の押圧と、図示しないがコーリンベルトにより止められている。図４の(３)は複数枚の装飾用柄重ね襟が装着されている。
図５は複数の装飾用柄重ね襟を装着したときの図である。図５の（１）は3枚、（２）は2枚。（３）は（２）に更に1枚の装飾用柄重ね襟を使用している。これらの装飾用柄重ね襟も長襦袢と着物の押圧と、帯又は図示しないがコーリンベルトにより止められている。
【実施例２】
【００２１】
図６は、装飾用飾り襟２と複数の装飾用柄重ね襟１とを装着した図である。図がカラーではないので見分けにくいが、図６の（１）は、白色のビーズが付いた装飾用飾り襟２−１、（２）はピンク色のビーズ２−２が付いた装飾用飾り襟を装飾用柄重ね襟にずらしながら重ねて装着している。
図７は、複数の装飾用柄重ね襟を装着したときと、これに装飾用飾り襟を装着したときの比較図である。図７の（１）は、複数の装飾用柄重ね襟のみを装着したときであり、図７の（２）は、複数の装飾用柄重ね襟１と装飾用飾り襟２を装着したときの比較図である。図７も、カラーではないので見分けにくいが、（２）の装飾用飾り襟２を装着したときの方が、（１）のこれがない場合に比較し優雅さがある。
【産業上の利用可能性】
【００２２】
装飾用柄重ね襟や装飾用飾り襟を準備し、これらを使用して、一着の着物であっても襟元を装飾し、別の着物のようなイメージとしたり、形の古い着物であっても同様にして、新しい着物であるかのような感じを与え、さらには、着物を着る人の個性に合わせ、華やかな感じを抱かせるような襟元を手軽に着付けすることができ、着物の着付けを行っている美容室等においては、利用されることが期待される。
【符号の説明】
【００２３】
１  装飾用柄重ね襟：装飾用柄重ね襟が複数あり異なる場合には１−1、
１−２、１−３・・・のように符号を付けた。
２  装飾用飾り襟：異なる装飾用飾り襟は、２−１、２−２のように符号を付けた。
３  着物  ３１  着物の襟  ３２  帯  
４  長襦袢  ４１長襦袢の襟  ４２  伊達締め
【図１】
2013245410.tif 000003
【図２】
2013245410.tif 000004
【図３】
2013245410.tif 000005
【図４】
2013245410.tif 000006
【図５】
2013245410.tif 000007
【図６】
2013245410.tif 000008
【図７】
2013245410.tif 000009